(57)【特許請求の範囲】
【請求項１】
複数の昇降機のそれぞれに備えられ、この昇降機の診断に要する所定の稼動データを収集する複数の監視装置と、これら複数の監視装置を接続する通信線と、任意の監視装置から他の昇降機の稼動データをこの昇降機に備えられた監視装置を介して読み出す携帯端末装置とから構成された昇降機の保全装置において、
前記携帯端末装置に、所定の昇降機の稼動データを収集しセンターに送信すると、送信した昇降機の製造番号を記録する稼動データ送信管理テーブルと、所定の昇降機の稼動データを収集するとセットとしてくる稼動データ収集フラグを所定時間保管する稼動データ収集管理テーブルとを備え、所定の昇降機の稼動データを収集した際に、収集する昇降機の製造番号が前記稼動データ送信管理テーブルに記憶されている製造番号と同一か比較し、同一の場合稼動データの収集を終了すると共に、所定の昇降機の稼動データを監視装置より収集する際に、前記監視装置の稼動データ収集フラグを確認し、収集済みであれば稼動データ収集を終了するようにしたことを特徴とする昇降機の保全装置。
【請求項２】
前記携帯端末装置に、予め計画された保全作業を行う昇降機の製造番号を格納する保全計画管理テーブルを備え、所定の昇降機の稼動データを監視装置より収集する際に、収集する昇降機の製造番号が前記保全計画管理テーブルに格納された製造番号であるかを確認し、格納されている製造番号の昇降機でなければ、稼動データ収集を終了することを特徴とする請求項１記載の昇降機の保全装置。
【発明の詳細な説明】
【技術分野】
【０００１】
本発明は、昇降機のデータ収集を効率的に行う昇降機の保全装置に関する。
【背景技術】
【０００２】
近年の昇降機では、通報装置を設置し、この通報装置を電話回線等の通信回線によって監視センターと接続して遠隔地から故障を監視する遠隔監視装置が用いられている。そして、複数の乗客コンベアの監視装置を通信線で接続し、この通信線を介して前記監視装置のRAMに記憶させた互いの制御情報を確認する保全用の携帯端末装置を備えた乗客コンベアの遠隔監視装置が提案されている（例えば、特許文献１参照）。
【特許文献１】特開平１１−１８０６６５号公報
【発明の開示】
【発明が解決しようとする課題】
【０００３】
しかし、上記従来技術では、保全用携帯端末装置が通信線で接続した複数の監視装置から一度に稼動データを収集する場合に、各監視装置に接続する毎に、すでに収集済みの監視装置からも稼動データを読み出すため、端末装置と監視装置間の通信時間がかかり、しかも収集した稼動データをセンターに送信する場合はメモリ資源の浪費にもなっていた。
【０００４】
本発明は、前述した従来技術における実状からなされたもので、その目的は、通信線で接続した複数の監視装置に携帯端末装置を接続して稼動データを収集する場合に、通信時間を短縮し、メモリ資源の浪費を削減できる昇降機の保全装置を提供することにある。
【課題を解決するための手段】
【０００５】
前記目的を達成するために、本発明では、複数の昇降機のそれぞれに備えられ、この昇降機の診断に要する所定の稼動データを収集する複数の監視装置と、これら複数の監視装置を接続する通信線と、任意の監視装置から他の昇降機の稼動データをこの昇降機に備えられた監視装置を介して読み出す携帯端末装置とから構成された昇降機の保全装置において、前記携帯端末装置に、所定の昇降機の稼動データを収集しセンターに送信すると、送信した昇降機の製造番号を記録する稼動データ送信管理テーブルと、所定の昇降機の稼動データを収集するとセットとしてくる稼動データ収集フラグを所定時間保管する稼動データ収集管理テーブルとを備え、所定の昇降機の稼動データを収集した際に、収集する昇降機の製造番号が前記稼動データ送信管理テーブルに記憶されている製造番号と同一か比較し、同一の場合稼動データの収集を終了すると共に、所定の昇降機の稼動データを監視装置より収集する際に、前記監視装置の稼動データ収集フラグを確認し、収集済みであれば稼動データ収集を終了するようにしたことを特徴とする。
【０００６】
この構成により、所定の昇降機の稼動データを収集する際に、収集する昇降機の製造番号が稼動データ送信管理テーブルに記憶されている製造番号と同一である場合、稼動データの収集処理を終了することにより重複して稼動データを収集することが防止できる。また、所定の昇降機の稼動データを監視装置より収集する際に、前記監視装置の稼動データ収集フラグを確認し、収集済みであれば稼動データ収集を終了することにより重複して稼動データを収集することが防止できる。
【０００９】
更に、本発明では、請求項１において、前記携帯端末装置に、予め計画された保全作業を行う昇降機の製造番号を格納する保全計画管理テーブルを備え、所定の昇降機の稼動データを監視装置より収集する際に、収集する昇降機の製造番号が前記保全計画管理テーブルに格納された製造番号であるかを確認し、格納されている製造番号の昇降機でなければ、稼動データ収集を終了することを特徴とする。
【００１０】
この構成により、所定の昇降機の稼動データを監視装置より収集する際に、収集する昇降機の製造番号が保全計画管理テーブルに格納された製造番号であるかどうかを確認してデータ収集の要否を判断しているため、作業計画と一致しない製造番号の稼動データの収集を行わないようにすれば、重複した稼動データの収集を防止はさらに効果的なものとなる。
【発明の効果】
【００１１】
本発明によれば、所定の昇降機の稼動データを収集する際に、収集する昇降機の製造番号が稼動データ送信管理テーブルに記憶されている製造番号と同一である場合、稼動データの収集処理を終了することにより重複して稼動データを収集することが防止できる。
【発明を実施するための最良の形態】
【００１２】
以下、本発明に係る昇降機の保全装置の実施の形態を図に基づいて説明する。
【００１３】
図１は本発明の一実施形態になる昇降機の保全装置の概略構成図である。
【００１４】
図１において、監視装置１は携帯端末装置用通信ポート１a、監視装置間通信ポート１bおよび１ｃ、製造番号格納エリア１１、稼動データ格納エリア１２から構成される。２台目以降の監視装置２〜５も同様の構成であり、各監視装置１〜５間は通信線８で接続され、互いにデータのやり取りが可能である。また保全用端末装置１０は、稼動データ送信管理テーブル１０１、稼動データ収集管理テーブル１０２、保全計画管理テーブル１０３を備え、収集した稼動データを稼動データ収集用サーバ２０へ送信する機能を備える。
【００１５】
これらの構成により保全用端末装置１０は、任意の監視装置１〜５に接続して全監視装置１〜５の稼動データを収集し、稼動データ収集用サーバ２０に送信する。
【００１６】
例えば、保全用端末装置１０を監視装置１に接続した場合では、保全用端末装置１０は直接接続した監視装置１及び監視装置２〜５の製造番号格納エリア１１〜５１から製造番号、稼動データ格納エリア１２〜５２から稼動データを収集する。
【００１７】
この時、稼動データ収集管理テーブル１０２へ稼動データフラグをセットする。また、稼動データを稼動データ収集用サーバ２０に送信後は稼動データを稼働データ送信管理テーブル１０１に送信済みの製造番号を記憶しておく。
【００１８】
次に、監視装置２に接続した場合にも、直接接続した監視装置から製造番号を収集する。この時、前記稼動データ送信管理テーブル１０１に記録された製造番号と比較し、同一の製造番号がある場合は稼動データ収集処理を終了し重複して稼動データを収集することを防止する。
【００１９】
また、稼動データを監視装置１〜５より収集する際に、前記監視装置の稼動データ収集フラグを確認し、収集済みであれば稼動データ収集を終了することにより重複して稼動データを収集することを防止する。また、稼動データ収集フラグは所定時間稼動データ収集管理テーブルへ保存しておき、所定時間経過後はフラグを消去する。これにより、所定時間（例えば作業後から２４時間）経過後は、新たな稼動データの収集が可能となる。
【００２０】
なお、保全計画管理テーブル１０３には、予め計画された保全作業を行う昇降機の製造番号が格納されているため、作業計画と一致しない製造番号の稼動データの収集を行わないようにすれば、重複した稼動データの収集を防止はさらに効果的なものとなる。
【図面の簡単な説明】
【００２１】
【図１】本発明の一実施形態になる昇降機の保全装置の概略構成図である。
【符号の説明】
【００２２】
１〜５      監視装置
１ａ〜５ａ  携帯端末装置用通信ポート
１ｂ〜５ｂ  監視装置間通信ポート
１ｃ〜５ｃ  監視装置間通信ポート
８          通信線
１０        保全用携帯端末装置
１１〜５１  製造番号格納エリア
１２〜５２  稼動データ格納エリア
１０１      稼動データ送信管理テーブル
１０２      稼動データ収集管理テーブル
１０３      保全計画管理テーブル
２０        稼動データ収集用サーバ
【図１】
0005063485.tif 000002